(57)【要約】      （修正有）【課題】装着操作に際しては頭から被れるように充分に長いが、通常は好みの長さに調節できる自在ネックレスを提供する。【解決手段】鎖３，４の両端の連結手段同士を目の前で確実に連結し、しかも鎖全長が最も長い状態にしてから、頭上から被ることによって首にかけることができ、その後で各自の好みに応じて２個の中空体Ａ，Ｂの間隔やダブル鎖の形態を自由自在に調節したり、変更したりして楽しむことができる。前記それぞれの鎖の先端又は先端同士の連結構造が外部から見えないようにカバーされているので、連結構造が他人に見られることはない。また、このカバー付き連結部を首の前側に位置させることも可能となり、かつ外見上は連結部の無いエンドレス鎖に見えて好都合である。【選択図】図２
0003160274.tif 000002
【実用新案登録請求の範囲】
【請求項１】
ボール状の中空体の中の弾性リングの中を鎖が貫通し弾性保持される構成の２個の中空体(A) (B) それぞれの外面に鎖の一端を接続した構成において、
片方の中空体(A) に接続した鎖を他方の中空体(B) に挿通した状態で、先端に連結手段を取付けてあり、
前記他方の中空体(B) に接続した鎖を前記片方の中空体(A) に挿通した状態で、先端に連結手段を取付けると共に、
前記のそれぞれの鎖の先端又は連結手段を引いて、前記２個の中空体(A) (B) 同士が最も接近するまで鎖の全長を長くし、かつ鎖両端の前記連結手段を連結した状態の鎖全長が、頭から被って首まで移動できる長さであることを特徴とする自在ネックレス。
【請求項２】
前記のそれぞれの鎖の先端又は先端同士の連結構造が外部から見えないようにカバーされていることを特徴とする請求項１に記載の自在ネックレス。
【請求項３】
前記の２個の中空体(A) (B) の間において、少なくとも片方の鎖を弾性リング入り中空体に挿通してあることを特徴とする請求項１または請求項２に記載の自在ネックレス。
【請求項４】
前記の２個の中空体(A) (B) に接続された上下２本の鎖中の少なくとも下段の鎖を複数の中空体に挿通すると共に、前記の２個の中空体(A) (B) 寄りの両側一対の中空体(E) (G) に追加鎖の両端をそれぞれ接続し垂下可能としたことを特徴とする請求項１、請求項２又は請求項３に記載の自在ネックレス。
【請求項５】
前記の２個の中空体(A) (B) に接続された上下２本の鎖中の下段の鎖を挿通した左右一対の中空体(E) (G) の内の片側１個の中空体(G) に接続されると共に別の中空体(H) を貫通した追加鎖の先端に、さらに別の中空体(I) を接続し、
この別の中空体(I) に挿通した、次の追加鎖の一端を、前記追加鎖を挿通した前記中空体(H) に接続し、他端は、前記の下段の鎖を挿通した、前記左右一対の中空体(E) (G) 中の他方の中空体(E) に接続してあることを特徴とする請求項１、請求項２又は請求項３に記載の自在ネックレス。
【考案の詳細な説明】
【技術分野】
【０００１】
本考案は、鎖から成るネックレスにおいて、使い方や長さやデザインを自由に変更して楽しめる自在ネックレスに関する。
【背景技術】
【０００２】
通常のネックレスは、首に巻く鎖の一端にプレートを他端に引環を取付けてあり、顎の下から首に巻いて、首の後ろ側でプレートと引環とを連結する構造である。
ところが、髪を伸ばしているために、連結用のプレートや引環が隠れて見えない場合は問題無いが、髪が短くて連結プレートや引環を隠せない場合は、他人から見られるので、気にする人にとっては、あまり気持ちいいものではない。
自分では目視できない、首の後ろ側で連結できるように、連結し易いプレートと引環が主流になっているが、見やすい位置で目視しながら連結してから、頭から被るようにして首に装着できれば、操作性は気にしないでデザインを重視し、デザイン性に富んだ連結具をいろいろと製品化でき、流行も期待できる。
【先行技術文献】
【特許文献】
【０００３】
【特許文献１】実用新案登録第３０６６６５６号
【考案の概要】
【考案が解決しようとする課題】
【０００４】
しかしもう一つの問題は、頭から被るようにして装着可能にすると、ネックレス全体の長さを長くする必要があり、長過ぎるとデザイン性に欠けるという新たな問題が生じる。
特許文献１に記載のように、ネックレスとしても使用でき、またブレスレットとしても使用できる、ネックレス・ブレスレット兼用のチェーンが知られているが、ネックレスとして使用する場合は、首の後ろで連結することを前提としているため、頭から被るには、長さが足りない。また、プレートと引環から成る連結構造をデザイン性に富んだ連結手段に変更するという発想は無い。
本考案の技術的課題は、このような問題に着目し、装着操作に際しては頭から被れるように充分に長いが、通常は好みの長さに調節できる自在ネックレスを実現することにある。また、ユーザーの好みに応じてデザインを変更したり工夫したりして楽しめるようにデザインも自在な構成を可能とする。
【課題を解決するための手段】
【０００５】
請求項１は、図１〜図５のように、ボール状の中空体の中の弾性リングの中を鎖が貫通し弾性保持される構成の２個の中空体(A) (B) それぞれの外面に鎖の一端を接続した構成において、片方の中空体(A) に接続した鎖を他方の中空体(B) に挿通した状態で、先端に連結手段を取付けてあり、前記他方の中空体(B) に接続した鎖を前記片方の中空体(A) に挿通した状態で、先端に連結手段を取付けると共に、前記のそれぞれの鎖の先端又は連結手段を引いて、前記２個の中空体(A) (B) 同士が最も接近するまで鎖の全長を長くし、かつ鎖両端の前記連結手段を連結した状態の鎖全長が、頭から被って首まで移動できる長さであることを特徴とする自在ネックレスである。
従って、鎖両端の連結手段同士を目の前で確実に連結し、しかも鎖全長が最も長い状態にしてから、頭上から被ることによって首にかけることができ、その後で各自の好みに応じて２個の中空体(A) (B) の間隔やダブル鎖の形態を自由自在に調節したり、変更したりして楽しむことができる。
【０００６】
請求項２は、図９、図１０のように、前記のそれぞれの鎖の先端又は先端同士の連結構造が外部から見えないようにカバーされていることを特徴とする請求項１に記載の自在ネックレスである。
このように、前記のそれぞれの鎖の先端又は先端同士の連結構造が外部から見えないようにカバーされているので、美的とは言えない連結構造が他人に見られることはなく、その結果、装飾性の高いカバー構成にすることによって、自在ネックレス全体の付加価値を高めることができる。しかも、装飾性の高いカバー構成の部分を積極的に他人に見せるように、連結部を首の下側に位置させることも可能となり、かつ外見上は連結部の無いエンドレス鎖に見えて好都合である。
【０００７】
請求項３は、図５（１）、図６のように、前記の２個の中空体(A) (B) の間において、少なくとも片方の鎖を弾性リング入り中空体に挿通してあることを特徴とする請求項１または請求項２に記載の自在ネックレスである。この場合、弾性リング入りの中空体は、１個でも２個以上でもよい。
このように、前記の２個の中空体(A) (B) の間において、少なくとも片方の鎖を弾性リング入り中空体に挿通し、２個の中空体(A) (B) の間に１又は２以上の中空体を配設することによって、デザイン性をより高めることが可能となる。
【０００８】
請求項４は、図６のように、前記の２個の中空体(A) (B) に接続された上下２本の鎖中の少なくとも下段の鎖を複数の中空体に挿通すると共に、前記の２個の中空体(A) (B) 寄りの両側一対の中空体(E) (G) に追加鎖の両端をそれぞれ接続し垂下可能としたことを特徴とする請求項１、請求項２又は請求項３に記載の自在ネックレスである。
このように、前記２個の中空体(A) (B) に接続された上下２本の鎖中の少なくとも下段の鎖を複数の中空体に挿通すると共に、前記の２個の中空体(A) (B) 寄りの両側一対の中空体に追加鎖の両端をそれぞれ接続し垂下可能としたため、首の下側において少なくとも３段の鎖を有するデザインが楽しめる。このときの追加鎖は左右対称の形状となる。同様な手法で、追加鎖の増設も可能である。
【０００９】
請求項５は、図７（１）のように、前記の２個の中空体(A) (B) に接続された上下２本の鎖中の下段の鎖を挿通した左右一対の中空体(E) (G) の内の片側１個の中空体(G) に接続されると共に別の中空体(H) を貫通した追加鎖の先端に、さらに別の中空体(I) を接続し、
この別の中空体(I) に挿通した、次の追加鎖の一端を、前記追加鎖を挿通した前記中空体(H) に接続し、他端は、前記の下段の鎖を挿通した、前記左右一対の中空体(E) (G) 中の他方の中空体(E) に接続してあることを特徴とする請求項１、請求項２又は請求項３に記載の自在ネックレスである。
従って、上下２本の鎖中の下段の鎖を挿通した左右一対の中空体(E) (G) 中の片方の中空体に、追加鎖の一端を接続し、その他端は、他方の中空体に接続された次の追加鎖が貫通する中空体に接続するので、追加鎖の追加構造が左右非対称となり、前記請求項４記載の左右対称の追加鎖とは異なるデザインが楽しめる。
【考案の効果】
【００１０】
請求項１のように、それぞれの鎖の先端又は連結手段を引いて、前記２個の中空体(A) (B) 同士が最も接近するまで鎖の全長を長くし、かつ鎖両端を連結した状態の鎖全長が、頭から被って首まで移動できる長さであるから、鎖両端の連結手段を、操作しやすい目の前で確実に連結し、しかも鎖全長が最も長い状態にしてから、頭上から被ることによって首にかけることができる。従って、首にかけた後で各自の好みに応じて２個の中空体(A) (B) の間隔やダブル鎖の形態を自由自在に調節したり、変更したりして楽しむことができる。
【００１１】
請求項２によると、前記それぞれの鎖の先端又は先端同士の連結構造が外部から見えないようにカバーされているので、美的とは言えない連結構造が他人に見られることはない。その結果、装飾性の高いカバー構成にすることによって、自在ネックレス全体の付加価値を高めることができ、しかも、装飾性の高いカバー構成の部分を積極的に他人に見せるように、連結部を首の下側に位置させることも可能となり、かつ外見上は連結部の無いエンドレス鎖に見えて好都合である。
【００１２】
請求項３のように、前記の２個の中空体(A) (B) の間において、少なくとも片方の鎖を弾性リング入り中空体に挿通し、２個の中空体(A) (B) の間に１又は２以上の中空体を配設することによって、デザイン性をより高めることが可能となる。
【００１３】
請求項４のように、前記２個の中空体(A) (B) に接続された上下２本の鎖中の少なくとも下段の鎖を複数の中空体に挿通すると共に、前記の２個の中空体(A) (B) 寄りの両側一対の中空体に追加鎖の両端をそれぞれ接続し垂下可能としたため、首の下側において少なくとも３段の鎖を有するデザインが楽しめる。
【００１４】
請求項５のように、上下２本の鎖中の下段の鎖を挿通した左右一対の中空体(E) (G) 中の片方の中空体に、追加鎖の一端を接続し、その他端は、他方の中空体に接続された次の追加鎖が貫通する中空体に接続するので、追加鎖の追加構造が左右非対称となり、前記請求項４記載の左右対称の追加鎖とは異なるデザインが楽しめる。
【図面の簡単な説明】
【００１５】
【図１】本考案による自在ネックレスの基本構成を示す断面図である。
【図２】２個の中空体の間隔を拡げた状態の自在ネックレスである。
【図３】２個の中空体を引環とプレートの位置まで移動した状態である。
【図４】２個の中空体を接触間近まで接近させた状態である。
【図５】自在ネックレスの装着状態で、（１）は、首の前側をダブル鎖にした状態、（２）は、全体がダブル鎖の状態である。
【図６】ダブル鎖の下段鎖上の左右一対の中空体に垂下鎖両端を接続した実施形態である。
【図７】（１）は、垂下鎖の一端を、左右一対の中空体でなく、次の垂下鎖挿通用の中空体に接続した実施形態であり、（２）は、ダブル鎖の下段鎖の一端を、次の垂下鎖挿通用の中空体に接続した実施形態である。
【図８】（１）は、鎖を３本に増設し、多連構造とした中空体であり、（２）は鎖を５本に増設した実施形態である。
【図９】鎖両端の連結手段とカバー手段を兼ねた実施形態の断面図である。
【図１０】半球体同士の着脱構造で鎖両端を連結する構造の実施形態である。
【考案を実施するための形態】
【００１６】
次に本考案による自在ネックレスが実際上どのように具体化されるか実施形態を詳述する。図１は、本考案による自在ネックレスの基本構成を示す断面図であり、Ａ・Ｂ２個の中空体は、ボール状の中空体Ａ・Ｂの中の弾性リング１、２の中を鎖３、４が貫通し、弾性リング１、２の弾力で前記鎖３、４を弾性保持させている。
弾性リング１、２は、中空体Ａ・Ｂ中に、互いに対向している一対の鎖孔５又は６並びに鎖孔７又は８から挿入されており、鎖孔５、６並びに鎖孔７、８の内径よりも弾性リング１、２の外形が大きいので、中空体Ａ・Ｂ中から容易に離脱する恐れはない。
【００１７】
弾性リング１、２は、機械部品としてシール用に用いられるＯリングを使用したり、ゴムやスポンジ、ウレタンゴムなどの弾性合成樹脂などをドーナツ状に形成した物でもよい。弾力に抗して押しつぶした状態で中空体Ａ・Ｂ中に片方の鎖孔から押し込んだり、他方から針金などで引き込んだりした後、中空体Ａ・Ｂ中の弾性リング１、２中に鎖３、４を挿通する。この鎖３、４は、補助具を用いて弾性リング１、２中に導入し、鎖３、４の挿通後は、補助具を取り外す。
【００１８】
このようにして、一方の中空体Ａとその内部の弾性リング１に挿通した鎖３の一端を、もう１個の中空体Ｂの外面にロウ付けや溶接、強力接着剤などで接続固定する。取付け固定位置は自由だが、操作性の上では、一対の鎖孔７又は８の近くが適している。そして、図２のように、鎖３の他端に、連結用の引環９（又はプレート）を取付けておく。
同様にして、他方の中空体Ｂとその内部の弾性リング２に挿通した鎖４の一端を、前記中空体Ａの外面にロウ付けや溶接、強力接着剤などで接続しておく。この場合も、接続位置は自由だが、操作性の上では、一対の鎖孔５又は６の近くが適している。そして、鎖４の他端に、図２のように、プレート１０（又は引環）を取付けておく。
【００１９】
図１においては、２個の中空体Ａ・Ｂは互いに多少接近した状態にあるが、中空体Ａ・Ｂが互いに離れるように矢印ａ１、ａ２方向に押し開くように移動させると、図２のように、中空体Ａ・Ｂの間隔を拡げることができる。
そして、図２の中空体Ａ・Ｂをそれぞれ矢印ａ１、ａ２方向に更に押し開くように移動させると、図３のように、中空体Ａは鎖３の先端の引環９の位置まで移動し、他方の中空体Ｂは鎖４の先端のプレート10の位置まで移動する。その結果全体が、２本の鎖３、４から成るダブルの状態となり、全長は最も短くなる。
図３の状態において、右端の引環９を矢印ａ１方向に引っ張り、左端のプレート１０を矢印ａ２方向に引っ張ると、中空体Ａ・Ｂは矢印ａ３、ａ４方向の引っ張り力を受けて、互いに接近する方向に移動する。そして、最終的に、図４のように、２個の中空体Ａ・Ｂが接触間近まで接近するため、２本の鎖３、４を継ぎ足したように長くなり、図３のダブル状態のほぼ２倍の長さになる。
なお、図１〜図４では、弾性リング１、２の一端で鎖が折れているように図示されているが、鎖の種類や状態に応じて、折れたり曲がったりする位置は様々である。
【００２０】
この自在ネックレスの使用に際しては、図４のように最大限まで長くした状態で、先に引環９とプレート１０を連結し、鎖３、４をリング状につないでから、頭上から被るようにして、首の位置まで通過させる。
このままでは、ネックレスとしては長過ぎるので、首にかけた状態で、図４における中空体Ａ・Ｂを矢印ａ５・矢印ａ６のように、互いに離れる方向に引っ張って間隔を拡げると、図５（１）のように、首の前側だけがダブル鎖の状態となる。
このとき、ダブルの上段鎖３と下段鎖４が図示のように離れた状態にしたい場合は、首ｎ寄りの上段鎖３に接続した左側の中空体Ｂを首ｎ側に移動させると、首ｎ寄りの上段鎖３を首ｎ側に引き寄せて、上段鎖３と下段鎖４間の間隔Ｗを拡げることができる。中空体Ｂを逆に下側に移動させると、首ｎ寄りの上段鎖３が下側の鎖４側に接近して、間隔Ｗが狭くなる。右側の中空体Ａを首ｎ寄りに移動させても、間隔Ｗが狭くなり、下側に移動する間隔Ｗが拡がる。
【００２１】
（１）図の中空体Ａ・Ｂを、連結状態の引環９とプレート１０寄りまで移動させると、（２）図のように、全体がダブル鎖のネックレスとなる。
本考案の場合、前記のように最大限まで鎖を長くして、引環９とプレート１０を目前で連結してから、頭上から被ることができるので、連結状態の引環９とプレート１０が見苦しく無いように、装飾性の高い中空体１１を被せてカバーすることができる。
その結果、連結用の引環９やプレート１０が露出しないように隠すことができるので見苦しくなることはなく、全体的に装飾性に富んだ自在ネックレスとなる。また、連結部の中空体１１は装飾性が高いので、（２）図の装着状態の自在ネックレスを矢印のように１８０度回転して、中空体１１や中空体Ａ・Ｂを首の前側に配置して楽しむことができる。
この場合、鎖両端の連結用の引環９とプレート１０が首の後ろ側に存在しないので、連結部の無いエンドレスのネックレスに見える。その結果、ユニークで装飾性の高い新製品として流行が期待できる。
【００２２】
図５（１）図のように、首の前側だけをダブルにする場合、ダブル状態の上段鎖３と下段鎖４を、それぞれ１個以上の中空体Ｃ・ＤやＥ・Ｆ・Ｇに挿通して、装飾性をさらに高めることもできる。この中空体Ｃ〜Ｇも、図１の中空体Ａ・Ｂと全く同様に、ボール状の中空体中の弾性リングと一対の鎖孔を鎖３、４が貫通した構造である。従って、中空体Ｃ・ＤとＥ・Ｆ・Ｇを鎖３、４上で自由に移動して、好みの間隔や位置に調節し、楽しむことができる。
このように上段、下段の鎖３、４に中空体Ｃ〜Ｇを増設するだけでなく、下段の鎖４上の左右一対の中空体Ｅ・Ｇの表面に、図６のように、垂下鎖１２の両端を接続すると、違ったデザインが楽しめる。この垂下鎖１２にも左右一対の中空体Ｅ’・Ｇ’を挿通し取付けて、さらに垂下鎖１３の両端を接続し、多段の鎖にすることもできる。
さらに違ったデザインを楽しみたい場合は、前記中空体Ａ・Ｂにも、垂下鎖１４の両端を接続固定することもできる。
【００２３】
図６は、下段の鎖４を挿通した左右一対の中空体Ｅ・Ｇ両方に垂下鎖１２の両端を接続し、この垂下鎖１２上の一対の中空体Ｅ’・Ｇ’両方に次の垂下鎖１３というように、次々と垂下鎖を左右対称形に増設しているのに対し、図７の実施形態は、最初の垂下鎖１２の片方（右側）の先端を接続した右側片方の中空体Ｇだけに下側の鎖４を挿通し、その他方の左端は、前記左側の中空体Ｅではなく、該中空体Ｅに接続固定した次の垂下鎖１３を挿通した中空体Ｉに接続固定してある。
そして、前記の次の垂下鎖１３の右端は、前記垂下鎖１２を挿通した中空体Ｈに接続固定し、前記垂下鎖１３の左端は、前記中空体Ｉを貫通して、前記中空体Ｅに接続してある。
このように、上段の垂下鎖１２は、その一端だけが自在ネックレスの下段鎖４上の中空体Ｇに接続され、他端は、次の下段垂下鎖１３の挿通用の中空体に接続支持されるため、各中空体を移動することによって、左右非対称の各垂下鎖の位置や長さを自由に変更して楽しむことができる。
【００２４】
図７（１）の下側の鎖４の一端（右端）は、左右一対の中空体Ｅ・Ｇ中の片方（右）の中空体Ｇに挿通して前記中空体Ａに取付けてあるのに対し、（２）図の場合は、前記中空体Ａに取付けた垂下鎖１２を挿通した中空体Ｊに接続固定してある。そして、前記垂下鎖１２の他端を接続した中空体Ｉに挿通した、２段目の垂下鎖１３の左端は、前記左側の中空体Ｅに接続すると共に、右端は、前記垂下鎖１２を挿通した中空体Ｋに接続してある。
このように、自在ネックレスの下段の鎖４の先端も、上段の鎖３ではなく、次の垂下鎖に支持されているので、下段の鎖４の自由度も高まり、デザインを更に複雑化し楽しめる。
【００２５】
図８（１）は、図２における鎖４の左端をプレート１０に接続しないで、プレート１０の鎖１５の先端に接続した中空体Ｌに挿通して、先端は、前記鎖１５を挿通した中空体Ｍに接続することによって、多連構造の中空体にしてある。従って、両端の引環９とプレート１０を矢印ａ１・ａ２方向に引っ張ると、３本の鎖３、４、１５の全長を継ぎ足した長さになる。
図８（２）は、（１）図の鎖と多連中空体をさらに増やしてあるので、両端の引環９とプレート１０を矢印ａ１・ａ２方向に引っ張ると、５本の鎖３、４、１５、１６、１７の全長を継ぎ足した長さになり、さらに長くなる。
【００２６】
図５における中空体１１は、図９のような仕組みによって、連結状態の引環９とプレート１０を一緒に内蔵し、カバーする構造になっている。
（１）図の場合は、中空体１１を半球体１１ａ、１１ｂに２分割し、分割部１１ｃに着脱用のメネジとオネジを形成して、右側の半球体１１ｂのメネジ部中に左側の半球体１１ａのオネジ部をねじ込んで連結すると、球状体１１となる。
半球体１１ａ、１１ｂの中心孔ｈａ、ｈｂから、鎖３、４を挿入して、それぞれの先端に引環９とプレート１０を取付けてあるので、鎖３、４を中心にして半球体１１ａ、１１ｂは自由に回転し、ネジ回しできる。
従って、半球体１１ａ、１１ｂを分離した状態で引環９とプレート１０を連結してから、分割部１１ｃでねじ締めして連結すると、球状の中空体１１の中に、連結状態の引環９とプレート１０が収納状態となって隠れる。
【００２７】
（２）図の場合は、前記右側の半球体１１ｂのメネジ部に代えて、大径の筒状部を形成し、その開口寄りの内径よりも中心孔ｈｂ寄りの内径を大きくして凹溝状にしてあるので、連結部の下部は〜形の断面形状となり、上部は〜形を上下反転した断面形状となる。これに対し、左側の半球体１１ａのオネジ部に代えて、小径の筒状部を形成し、その開口寄りの外径を中心孔ｈａ寄りの外径より大きい凸条にしてあるので、連結部の下部は〜形の断面形状となり、上部は〜形を上下反転した断面形状となる。。
その結果、右側の半球体１１ｂの大径の筒状部の中に、左側の半球体１１ａの小径の筒状部を強引に挿入すると、右側の半球体１１ｂの大径筒状部の凹溝中に、左側の半球体１１ａの小径筒状部の開口端の凸条部が強引に嵌入され、容易に離脱不能となる。
嵌入深さは、すなわち凹溝の深さや凸条の高さは0.5 〜1.0 ｍｍ以下であるから、引環９とプレート１０が連結状態であっても、両側の鎖３と４を引っ張るだけで、嵌入部が離脱されて、半球体１１ａと１１ｂに分離される。
なお、小径筒状部の開口部に間隔をおいてスリットｓを入れておくと、前記凸条部を大径筒状部の内面の前記凹溝中に挿入したり離脱操作する際の弾力が柔軟になるので、より軽い力だ着脱できる。
【００２８】
連結用の引環９とプレート１０が半球体１１の中に収納され、隠れるので、引環９とプレート１０が露出して見苦しくなるのを防止でき、半球体１１ａ、１１ｂの外面を美しく仕上げておけば、装飾性の高い球状体１１となり、連結構造の見えない、高度に装飾された自在ネックレスが実現される。片方の半球体を金色とし、他方の半球体を白金色としたり、互いに異なる色にして楽しむこともできる。
図９は、連結手段の収納構造の例示であって、鎖両端の連結構造やその収納構造、球状体１１の着脱部１１ｃの構造は、他の構造でも可能である。
例えば、図９の引環９とプレート１０に代えて、図１０のように、抜け止め手段としてリング２０、２０などを用いて、鎖３、４の先端に取付けてることもできる。リング２０、２０の外径が中心孔ｈａ、ｈｂの内径より大きいので、離脱する恐れはない。そして、図９のように、ネジ構造や〜形の凸条と凹溝による着脱構造によって、左右の半球体１１ａと１１ｂを連結状態にロックしたり分離できるので、鎖３、４の両端の連結が可能となる。
なお、図１０の分割部１１ｃにおける大径筒状部内面の凹溝１８は、図９の（２）の構造と基本的に同じであるが、〜形の凸条に代えて、小径筒状部に所定の間隔をおいて隆起部１９を設けてある。この隆起部１９の内側は、１９’のように球面状の窪みになる。
【産業上の利用可能性】
【００２９】
以上のように、本発明によると、首に装着操作する時は頭から被れるように充分に長いが、通常は好みの長さに調節できると共に、鎖両端の連結構造を中空体中に収納したり、垂下鎖を追加して多段鎖構造とするなど、ユーザーの好みに応じてデザインを変更したり工夫して楽しむことができる。
【符号の説明】
【００３０】
Ａ〜Ｉ  中空体
１・２  弾性リング
３・４  鎖
５〜８  鎖孔
９  引環
１０  プレート
１１  連結部中空体
１１ａ・１１ｂ  半球体
１１ｃ  分割部
１２・１３  垂下鎖
３・４・１５・１６・１７  鎖
ｈａ・ｈｂ  中心孔
ｓ  スリット
18  大径筒状部内面の凹溝
19  ロック用の隆起部
20  抜け止めリング
【図１】
0003160274.tif 000003
【図２】
0003160274.tif 000004
【図３】
0003160274.tif 000005
【図４】
0003160274.tif 000006
【図５】
0003160274.tif 000007
【図６】
0003160274.tif 000008
【図７】
0003160274.tif 000009
【図８】
0003160274.tif 000010
【図９】
0003160274.tif 000011
【図１０】
0003160274.tif 000012